(57)【要約】【課題】マルチチャンネルのデジタル音声データを元にした良好な音声再現を簡易に行う音声再生装置を提供する。【解決手段】音声再生装置１は、入力されるマルチチャンネルのデジタル音声データＤｉｎを２チャンネルデコーダ１２でステレオ音声用信号Ｓｏ又はサラウンド音声用信号Ｓｔにダウンミックスしてサラウンドデコーダ１３に入力し、当該サラウンドデコーダ１３でステレオ音声再生を行うための音声信号又はサラウンド音声再生を行うための音声信号に変換する際に、サラウンドデコーダ１３における変換に応じて２チャンネルデコーダ１２におけるダウンミックスの設定を切り換える、又は、２チャンネルデコーダ１２における変換に応じてサラウンドデコーダ１３のサラウンド設定の有無を切り換える構成である。【選択図】図１
2007208709.tif 000002
【特許請求の範囲】
【請求項１】
複数のスピーカから音声再生を行う音声再生装置において、
入力されるマルチチャンネルの音声データが圧縮されたデジタル音声データを復号化して、当該マルチチャンネルの音声データから音声再生用の音声信号又はサラウンド音声再生用の音声信号を２チャンネルで出力する２チャンネル出力手段と、
この２チャンネルで出力される音声信号に基づいて、前記複数のスピーカから音声再生を行うための音声出力信号又は前記複数のスピーカからサラウンド音声再生を行うための音声出力信号に変換する変換手段と、
前記２チャンネル出力手段及び前記変換手段を制御する制御手段と、を備え、
前記制御手段は、
前記変換手段における前記複数のスピーカから音声再生を行うための音声出力信号への変換又は前記複数のスピーカからサラウンド音声再生を行うための音声出力信号への変換に応じて、前記２チャンネル出力手段における音声再生用の音声信号又はサラウンド音声再生用の音声信号の出力を切り換えることを特徴とする音声再生装置。
【請求項２】
前記制御手段は、前記変換手段における前記複数のスピーカから音声再生を行うための音声出力信号への変換の際に、前記２チャンネル出力手段における出力を音声再生用の音声信号に切り換えることを特徴とする請求項１に記載の音声再生装置。
【請求項３】
前記制御手段は、前記変換手段における前記複数のスピーカからサラウンド音声再生を行うための音声出力信号への変換の際に、前記２チャンネル出力手段における出力をサラウンド音声再生用の音声信号に切り換えることを特徴とする請求項１に記載の音声再生装置。
【請求項４】
複数のスピーカから音声再生を行う音声再生装置において、
入力されるマルチチャンネルの音声データが圧縮されたデジタル音声データを復号化して、当該マルチチャンネルの音声データから音声再生用の音声信号又はサラウンド音声再生用の音声信号を２チャンネルで出力する２チャンネル出力手段と、
この２チャンネルで出力される音声信号に基づいて、前記複数のスピーカから音声再生を行うための音声出力信号又は前記複数のスピーカからサラウンド音声再生を行うための音声出力信号に変換する変換手段と、
前記２チャンネル出力手段及び前記変換手段を制御する制御手段と、を備え、
前記制御手段は、
前記２チャンネル出力手段における音声再生用の音声信号又はサラウンド音声再生用の音声信号の出力に応じて、前記変換手段における前記複数のスピーカから音声再生を行うための音声出力信号への変換又は前記複数のスピーカからサラウンド音声再生を行うための音声出力信号への変換を切り換えることを特徴とする音声再生装置。
【請求項５】
複数のスピーカから音声再生を行う音声再生装置において、
入力されるマルチチャンネルの音声データが圧縮されたデジタル音声データを復号化して、当該マルチチャンネルの音声データから音声再生用の音声信号又はサラウンド音声再生用の音声信号を２チャンネルで出力する２チャンネル出力手段と、
この２チャンネルで出力される音声信号に基づいて、前記複数のスピーカから音声再生を行うための音声出力信号又は前記複数のスピーカからサラウンド音声再生を行うための音声出力信号に変換する変換手段と、
前記変換手段における変換状態を判定する判定手段と、を備え、
前記２チャンネル出力手段は、前記判定手段における判定結果に応じて、音声再生用の音声信号又はサラウンド音声再生用の音声信号の出力を切り換えることを特徴とする音声再生装置。
【請求項６】
前記２チャンネル出力手段は、前記判定手段における判定結果が前記複数のスピーカから音声再生を行うための音声出力信号への変換である場合に、当該２チャンネル出力手段における出力を音声再生用の音声信号に切り換えることを特徴とする請求項５に記載の音声再生装置。
【発明の詳細な説明】
【技術分野】
【０００１】
本発明は、複数のスピーカから音声再生を行う音声再生装置に関する。
【背景技術】
【０００２】
従来から、ＤＶＤ（Digital Versatile Disk）などの記憶媒体から読み出されるマルチチャンネルのデジタル音声データをデコードし、このデジタル音声データを出力端子等に合わせて２チャンネルにダウンミックスし、当該ダウンミックスされた２チャンネルの音声信号を元にサラウンド設定の有無に応じて、臨場感のある音場を再現するサラウンド再生又は通常のステレオ再生を複数のスピーカから行う音声再生装置がある。
【０００３】
ＤＶＤから読み出されるマルチチャンネルのデジタル音声データとは、聴取者の正面、右前方、左前方、サラウンド信号を含むものや、聴取者の正面、右前方、左前方、右後方、左後方、低音出力の音声信号を含む５．１チャンネル信号などである。また、ダウンミックスされた２チャンネルの音声信号は、聴取者に対して左右方向のスピーカによるステレオ再生用の音声信号であるＬｏ（Left  Only）、Ｒｏ（Right  Only）と、マトリックスエンコード処理等により聴取者の正面、右前方、左前方、サラウンド信号を有し、正面、右左前方、右左後方等に配置された複数のスピーカから臨場感ある音場の再現が可能な音声信号であるＬｔ（Left  Total）、Ｒｔ（Right  Total）とがある。
【０００４】
特許文献１には、マルチチャンネル音響装置において、予め設定されたテーブルデータ又はユーザが設定したテーブルデータに基づいてサラウンド処理を行うように制御する技術が記載されている。
【特許文献１】特開２００４−２７４３７４号公報
【発明の開示】
【発明が解決しようとする課題】
【０００５】
しかしながら、上記従来の音声再生装置では、より好適な音声再生を行うために、サラウンドデコーダの有効／無効に合わせてダウンミックスして出力する音声信号をＬｏ／Ｒｏ又はＬｔ／Ｒｔに予め利用者が設定する必要があり、不便であった。
【０００６】
本発明の課題は、上記従来技術の問題に鑑みてなされたものであって、マルチチャンネルのデジタル音声データを元にした良好な音声再現を簡易に行う音声再生装置を提供することである。
【課題を解決するための手段】
【０００７】
上記課題を解決するために、請求項１に記載の発明は、複数のスピーカから音声再生を行う音声再生装置において、入力されるマルチチャンネルの音声データが圧縮されたデジタル音声データを復号化して、当該マルチチャンネルの音声データから音声再生用の音声信号又はサラウンド音声再生用の音声信号を２チャンネルで出力する２チャンネル出力手段と、この２チャンネルで出力される音声信号に基づいて、前記複数のスピーカから音声再生を行うための音声出力信号又は前記複数のスピーカからサラウンド音声再生を行うための音声出力信号に変換する変換手段と、前記２チャンネル出力手段及び前記変換手段を制御する制御手段と、を備え、前記制御手段は、前記変換手段における前記複数のスピーカから音声再生を行うための音声出力信号への変換又は前記複数のスピーカからサラウンド音声再生を行うための音声出力信号への変換に応じて、前記２チャンネル出力手段における音声再生用の音声信号又はサラウンド音声再生用の音声信号の出力を切り換えることを特徴とする。
【０００８】
請求項２に記載の発明は、請求項１に記載の発明において、前記制御手段は、前記変換手段における前記複数のスピーカから音声再生を行うための音声出力信号への変換の際に、前記２チャンネル出力手段における出力を音声再生用の音声信号に切り換えることを特徴とする。
【０００９】
請求項３に記載の発明は、請求項１に記載の発明において、前記制御手段は、前記変換手段における前記複数のスピーカからサラウンド音声再生を行うための音声出力信号への変換の際に、前記２チャンネル出力手段における出力をサラウンド音声再生用の音声信号に切り換えることを特徴とする。
【００１０】
請求項４に記載の発明は、複数のスピーカから音声再生を行う音声再生装置において、入力されるマルチチャンネルの音声データが圧縮されたデジタル音声データを復号化して、当該マルチチャンネルの音声データから音声再生用の音声信号又はサラウンド音声再生用の音声信号を２チャンネルで出力する２チャンネル出力手段と、この２チャンネルで出力される音声信号に基づいて、前記複数のスピーカから音声再生を行うための音声出力信号又は前記複数のスピーカからサラウンド音声再生を行うための音声出力信号に変換する変換手段と、前記２チャンネル出力手段及び前記変換手段を制御する制御手段と、を備え、前記制御手段は、前記２チャンネル出力手段における音声再生用の音声信号又はサラウンド音声再生用の音声信号の出力に応じて、前記変換手段における前記複数のスピーカから音声再生を行うための音声出力信号への変換又は前記複数のスピーカからサラウンド音声再生を行うための音声出力信号への変換を切り換えることを特徴とする。
【００１１】
請求項５に記載の発明は、複数のスピーカから音声再生を行う音声再生装置において、入力されるマルチチャンネルの音声データが圧縮されたデジタル音声データを復号化して、当該マルチチャンネルの音声データから音声再生用の音声信号又はサラウンド音声再生用の音声信号を２チャンネルで出力する２チャンネル出力手段と、この２チャンネルで出力される音声信号に基づいて、前記複数のスピーカから音声再生を行うための音声出力信号又は前記複数のスピーカからサラウンド音声再生を行うための音声出力信号に変換する変換手段と、前記変換手段における変換状態を判定する判定手段と、を備え、前記２チャンネル出力手段は、前記判定手段における判定結果に応じて、音声再生用の音声信号又はサラウンド音声再生用の音声信号の出力を切り換えることを特徴とする。
【００１２】
請求項６に記載の発明は、請求項５に記載の発明において、前記２チャンネル出力手段は、前記判定手段における判定結果が前記複数のスピーカから音声再生を行うための音声出力信号への変換である場合に、当該２チャンネル出力手段における出力を音声再生用の音声信号に切り換えることを特徴とする。
【発明の効果】
【００１３】
本発明によれば、マルチチャンネルのデジタル音声データを元にした良好な音声再現を簡易に行うことができる。
【発明を実施するための最良の形態】
【００１４】
以下、この発明の実施の形態について、図を参照して説明するが、この発明は以下の実施の形態に限定しない。また、この発明の実施の形態は発明の最も好ましい形態を示すものであり、発明の用途や用語はこれに限定するものではない。
【００１５】
［第１の実施の形態］
先ず、本発明における第１の実施の形態について、図１〜図３を参照して説明する。図１は、本発明の第１の実施の形態である音声再生装置１の機能的構成を模式的に示したブロック図であり、図２（ａ）は、音声再生装置１の動作を示すフローチャートであり、図２（ｂ）は、サラウンド設定時に表示部１４３に表示される表示画面Ｇ１を例示する図であり、図３（ａ）は、第１の実施の形態における音声再生装置１の動作の変形例を示すフローチャートであり、図３（ｂ）は、ダウンミックス設定時に表示部１４３に表示される表示画面Ｇ２を例示する図である。
【００１６】
図１に示すように、音声再生装置１は、ＤＶＤ再生装置１１から出力されるマルチチャンネルのデジタル音声データＤｉｎを２チャンネルのステレオ音声用信号Ｓｏ又はサラウンド音声用信号Ｓｔとして出力する２チャンネルデコーダ１２、そのステレオ音声用信号Ｓｏ又はサラウンド音声用信号Ｓｔを元にスピーカＳＰ１〜ＳＰ４で音声再生するための音声出力信号Ｓ１〜Ｓ４を出力するサラウンドデコーダ１３及び当該２チャンネルデコーダ１２、サラウンドデコーダ１３を制御する制御装置１４を備える構成である。
【００１７】
ＤＶＤ再生装置１１は、光ピックアップ等を有し、ＤＶＤ−Ｒ、ＤＶＤ−Ｒ／Ｗ、ＤＶＤ＋Ｒ／Ｗ、ＤＶＤ−ＲＡＭなどの記憶媒体のオーディオトラックに記録されたデジタル音声データを読み取って、デジタル音声データＤｉｎとして出力する。デジタル音声データＤｉｎは、例えば、ＤＯＬＢＹ（登録商標）、ｄｔｓ（登録商標）等の所定の形式で圧縮された５．１チャンネルの音声信号などのマルチチャンネルのデジタル音声データである。以降の説明では、便宜上、デジタル音声データＤｉｎとして出力されるデジタル音声データのチャンネルは聴取者の右前方、左前方、正面、後方（サラウンド）の音声信号に関するものとする。
【００１８】
なお、ＤＶＤ再生装置１１は、マルチチャンネルの音声データを所定形式（例えば、ＭＰ３形式、ＷＭＡ形式、ＡＡＣ形式又はＡＴＲＡＣ３形式）で圧縮して符号化したオーディオファイルを上記記憶媒体から読み出してデジタル音声データＤｉｎとして出力する構成であってもよい。また、記憶媒体としては、ＣＤーＤＡ型のコンパクトディスク（いわゆる音楽ＣＤ）やＣＤ−ＲＯＭ型のコンパクトディスク（いわゆるデータＣＤ）などであってよく特に限定するものではない。
【００１９】
２チャンネルデコーダ１２は、データ変換用のＤＳＰ（Digital  Signal  Processor）などであり、復号化部１２１、ダウンミックス部１２２及びＩ／Ｆ部１２３を備える構成である。復号化部１２１は、ＤＶＤ再生装置１１から出力されたデジタル音声データＤｉｎを復号化（伸長）したＰＣＭ（Pulse  Code  Modulations）音声信号などであり、上述した右前方のデジタル音声信号Ｄ１、左前方のデジタル音声信号Ｄ２、正面のデジタル音声信号Ｄ２、後方（サラウンド）のデジタル音声信号Ｄ４を含むデジタル音声データＤｏｕｔを生成してダウンミックス部１２２に出力する。
【００２０】
ダウンミックス部１２２は、入力されるデジタル音声データＤｏｕｔに基づいて、聴取者に対して左右方向のスピーカで音声再生（ステレオ音声再生）を行うための２チャンネルのステレオ音声用信号Ｓｏ（Lo：Left  Only／Ro：Right  Only）又は公知のマトリックスエンコード処理等により前述したデジタル音声信号Ｄ１〜Ｄ４の成分へデコード可能にミックスした２チャンネルのサラウンド音声用信号Ｓｔ（Lt：Left  Total／Rt：Right  Total）のいずれか一方を入力される指示に応じてサラウンドデコーダ１３側に出力する。なお、ステレオ音声用信号Ｓｏは、ステレオ音声再生以外に、左右方向で同一の音声再生（モノラル音声再生）を行うものであってもよく、特に限定しない。
【００２１】
Ｉ／Ｆ部１２３は、特に図示しない通信ケーブルを介して接続する制御装置１４との間で、２チャンネルデコーダ１２の状態の通知や２チャンネルデコーダ１２への設定指示の通知を中継する。具体的には、Ｉ／Ｆ部１２３は、制御装置１４からダウンミックス部１２２への指示などを受け付けて当該ダウンミックス部１２２へ出力する。
【００２２】
２チャンネルデコーダ１２では、ＤＶＤ再生装置１１からデジタル音声データＤｉｎが入力され、復号化部１２１で復号化されたデジタル音声データＤｏｕｔがダウンミックス部１２２に入力され、制御装置１４から入力される指示に応じてダウンミックスされたステレオ音声用信号Ｓｏ又はサラウンド音声用信号Ｓｔがダウンミックス部１２２から出力される。
【００２３】
サラウンドデコーダ１３は、サラウンドデコーダとしての機能を有するＩＣや増幅回路などであり、変換部１３１、Ｉ／Ｆ部１３２を備える構成である。変換部１３１は２チャンネルデコーダ１２から出力されるステレオ音声用信号Ｓｏ又はサラウンド音声用信号Ｓｔを受け付けて、サラウンド設定の有無に応じて変換した後、増幅した音声出力信号Ｓ１〜Ｓ４をスピーカＳＰ１〜ＳＰ４に出力する。変換部１３１において、サラウンド設定が有効の場合の変換とは２チャンネルで入力される信号に対して前述したマトリックスエンコード処理等に対応するデコード処理を施して音声出力信号Ｓ１〜Ｓ４へ変換することであり、サラウンド設定が無効の場合の変換とは２チャンネルで入力される信号を単にそのチャンネルに対応する音声出力信号Ｓ１〜Ｓ４へ出力することである。
【００２４】
Ｉ／Ｆ部１３２は、特に図示しない通信ケーブルを介して接続する制御装置１４との間で、サラウンドデコーダ１３の状態の通知やサラウンドデコーダ１３への設定指示の通知を中継する。具体的には、Ｉ／Ｆ部１３２は、制御装置１４から変換部１３１への指示などを受け付けて当該変換部１３１へ出力し、変換部１３１へのサラウンド設定指示や変換部１３１の設定状態の通知などを行う。
【００２５】
サラウンドデコーダ１３では、２チャンネルデコーダ１２からステレオ音声用信号Ｓｏ又はサラウンド音声用信号Ｓｔが変換部１３１に入力され、制御装置１４から入力されるサラウンド設定の有無に応じて変換された音声出力信号Ｓ１〜Ｓ４が変換部１３１からスピーカＳＰ１〜ＳＰ４に出力される。スピーカＳＰ１〜ＳＰ４ではその音声出力信号Ｓ１〜Ｓ４に基づいた音声再現が行われる。このため、サラウンドデコーダ１３において、サラウンド設定が有効であり、入力される信号がサラウンド音声用信号Ｓｔである場合は、前述のデジタル音声信号Ｄ１〜Ｄ４に応じた音声出力信号Ｓ１〜Ｓ４がスピーカＳＰ１〜ＳＰ４に出力されることで、忠実な音場の再現（サラウンド再生）を行うことができる。また、サラウンド設定が無効であり、入力される信号がステレオ音声用信号Ｓｏである場合は、余分な変換処理が行われることなく、忠実なステレオ再生を行うことができる。
【００２６】
制御装置１４は、制御部１４１、操作部１４２、表示部１４３、記憶部１４４及びＩ／Ｆ部１４５を備える構成である。
【００２７】
制御部１４１は、特に図示しないＣＰＵ（Central  Processing  Unit）、ＲＡＭ（Random  Access  Memory）、ＲＯＭ（Read  Only  Memory）等からなり、ＣＰＵはＲＡＭの所定領域を作業領域として、ＲＯＭ又は記憶部１４４に予め格納された各種制御プログラムを実行し、制御装置１４における各部の制御を行う。また、制御部１４１は、２チャンネルデコーダ１２又はサラウンドデコーダ１３との間でＩ／Ｆ部１４５を介して信号を送受信することにより当該２チャンネルデコーダ１２、サラウンドデコーダ１３の制御を行う。また、特に図示しないが、Ｉ／Ｆ部１４５とＤＶＤ再生装置１１とが電気的に接続され、制御部１４１はＤＶＤ再生装置１１における再生制御（所定トラックの再生、一時停止、停止等）を行う構成であってもよい。
【００２８】
操作部１４２は、各種の入力キーやボリュームコントローラ等の調節つまみを有し、これら入力キーや調節つまみの操作に対応する操作信号を制御部１４１に出力する。
【００２９】
表示部１４３は、ＬＣＤ（Liquid  Crystal  Display）パネルや有機ＥＬ（Electro  Luminescence）素子を用いたＦＰＤ（Flat  Panel  Display）、ＬＥＤ（Light  Emitting  Diode）等から構成され、制御部１４１の制御により、再生時間、トラック番号、ボリューム等の動作状況や２チャンネルデコーダ１２、サラウンドデコーダ１３の各種設定状況に関する情報を表示する。なお、表示部１４３は、操作部１４２と一体的にタッチパネルを構成する態様としてもよい。
【００３０】
記憶部１４４は、電気的にデータの書き換えが可能な不揮発性のメモリであり、各種設定情報や制御部１４１が実行する制御プログラム等を格納する。記憶部１４４が格納する各種設定情報としては、例えば、２チャンネルデコーダ１２からの出力をステレオ音声用信号Ｓｏ又はサラウンド音声用信号Ｓｔのいずれで行うかの設定、サラウンドデコーダ１３におけるサラウンド再生の有無に関する設定、音声ボリューム値などである。
【００３１】
ここで、制御部１４１が制御して行う動作について説明する。図２（ａ）に示すように、制御部１４１は、操作部１４２からのサラウンド設定の有無の指示を取得し（ステップＡ１１）、その取得した指示を元にサラウンド設定を有効にするか否かを判定する（ステップＡ１２）。
【００３２】
なお、この操作部１４２から取得するサラウンド設定の有無の指示については、図２（ｂ）に示すように、表示部１４３に表示したサラウンド設定に関する表示画面Ｇ１にその有無を設定する設定ボタンＧ１１、Ｇ１２を表示し、選択指示を受け付けるなどして行う。
【００３３】
ステップＡ１２においてサラウンド設定を有効にすると判定された場合は、２チャンネルデコーダ１２におけるダウンミックスの設定がサラウンド音声用信号Ｓｔ（Ｌｔ／Ｒｔ）を出力するように設定され（ステップＡ１３）、サラウンドデコーダ１３におけるサラウンドの設定が有効にされて（ステップＡ１４）、終了する。
【００３４】
逆に、ステップＡ１２においてサラウンド設定を無効にすると判定された場合は、２チャンネルデコーダ１２におけるダウンミックスの設定がステレオ音声用信号Ｓｏ（Ｌｏ／Ｒｏ）を出力するように設定され（ステップＡ１５）、サラウンドデコーダ１３におけるサラウンドの設定が無効にされて（ステップＡ１６）、終了する。
【００３５】
以上のように、音声再生装置１は、ＤＶＤ再生装置１１などから入力されるマルチチャンネルのデジタル音声データＤｉｎを２チャンネルデコーダ１２でステレオ音声用信号Ｓｏ又はサラウンド音声用信号Ｓｔにダウンミックスしてサラウンドデコーダ１３に入力し、当該サラウンドデコーダ１３で音声再生（ステレオ）を行うための音声信号又はサラウンド音声再生を行うための音声信号に変換してスピーカＳＰ１〜ＳＰ４へ出力して音声再生を行う際に、サラウンドデコーダ１３における変換に応じて２チャンネルデコーダ１２におけるダウンミックスの設定を切り換える構成である。このため、音声再生装置１は、サラウンド設定の有無に合わせてダウンミックスの設定を行うことができるため、マルチチャンネルのデジタル音声データを元に複数のスピーカから音声再生を行う際に良好に音声再現することができるとともに、煩わしい設定の手間を省くことができる。
【００３６】
また、音声再生装置１は、操作部１４２から入力される指示に基づいて、サラウンドデコーダ１３においてサラウンド設定を無効する場合、つまり、通常の再生（ステレオ再生）を行う場合は２チャンネルデコーダ１２におけるダウンミックスを通常の再生用のステレオ音声用信号Ｓｏに切り換え、サラウンドデコーダ１３においてサラウンド再生を設定する場合は２チャンネルデコーダ１２におけるダウンミックスをサラウンド音声再生用のサラウンド音声用信号Ｓｔに切り換える構成である。このため、音声再生装置１は、サラウンド再生又は通常の再生に好適なダウンミックスを行うことができ、より良好な音声再生を行うことができる。
【００３７】
［変形例］
ここで、第１の実施の形態における制御部１４１が制御して行う動作の変形例について、図３を参照して説明する。なお、装置構成については前述と同様であるため説明を省略し、制御部１４１が制御して行う動作についてのみを説明する。
【００３８】
図３（ａ）に示すように、制御部１４１は、操作部１４２から２チャンネルデコーダ１２でのダウンミックスの設定を取得し（ステップＡ２１）、その取得した指示を元にダウンミックス設定をサラウンド音声用信号Ｓｔ（Ｌｔ／Ｒｔ）の出力にするか否かを判定する（ステップＡ２２）。
【００３９】
なお、この操作部１４２から取得するダウンミックス設定の指示については、図３（ｂ）に示すように、表示部１４３に表示したダウンミックス設定に関する表示画面Ｇ２にステレオ音声用信号Ｓｏ又はサラウンド音声用信号Ｓｔのいずれを出力するかを選択する設定ボタンＧ２１、Ｇ２２を表示し、選択指示を受け付けるなどして行う。
【００４０】
ステップＡ２２においてサラウンド音声用信号Ｓｔ（Ｌｔ／Ｒｔ）の出力にすると判定された場合は、２チャンネルデコーダ１２におけるダウンミックスの設定がサラウンド音声用信号Ｓｔを出力するように設定され（ステップＡ２３）、サラウンドデコーダ１３におけるサラウンドの設定が有効にされて（ステップＡ２４）、終了する。
【００４１】
逆に、ステップＡ２２においてサラウンド音声用信号Ｓｔ（Ｌｔ／Ｒｔ）の出力ではないと判定された場合、つまり、ステレオ音声用信号Ｓｏ（Ｌｏ／Ｒｏ）にすると判定された場合は、２チャンネルデコーダ１２におけるダウンミックスの設定がステレオ音声用信号Ｓｏを出力するように設定され（ステップＡ２５）、サラウンドデコーダ１３におけるサラウンドの設定が無効にされて（ステップＡ２６）、終了する。
【００４２】
以上のように、音声再生装置１は、ＤＶＤ再生装置１１などから入力されるマルチチャンネルのデジタル音声データＤｉｎを２チャンネルデコーダ１２でステレオ音声用信号Ｓｏ又はサラウンド音声用信号Ｓｔにダウンミックスしてサラウンドデコーダ１３に入力し、当該サラウンドデコーダ１３で音声再生（ステレオ再生）を行うための音声信号又はサラウンド音声再生を行うための音声信号に変換してスピーカＳＰ１〜ＳＰ４へ出力して音声再生を行う際に、２チャンネルデコーダ１２における変換に応じてサラウンドデコーダ１３におけるサラウンド設定の有無を切り換える構成である。このため、音声再生装置１は、ダウンミックスの設定に合わせてサラウンド設定の有無を設定できるため、マルチチャンネルのデジタル音声データを元に複数のスピーカから音声再生を行う際に良好に音声再現することができるとともに、煩わしい設定の手間を省くことができる。
【００４３】
また、音声再生装置１は、操作部１４２から入力される指示に基づいて、２チャンネルデコーダ１２におけるダウンミックスをステレオ音声用信号Ｓｏで行う場合はサラウンドデコーダ１３におけるサラウンド設定を無効に切り換え、２チャンネルデコーダ１２におけるダウンミックスをサラウンド音声用信号Ｓｔで行う場合はサラウンドデコーダ１３におけるサラウンド設定を有効に切り換える構成である。このため、音声再生装置１は、ダウンミックスに応じて好適に再生するようにサラウンド再生の有無を設定することができ、より良好な音声再生を行うことができる。
【００４４】
［第２の実施の形態］
次に、第２の実施の形態として、音声再生装置１のサラウンドデコーダ１３にサラウンド判定部１３３を有する形態を図４、図５を参照して説明する。図４は、本発明の第２の実施の形態である音声再生装置１ａの機能的構成を模式的に示したブロック図であり、図５は、サラウンド判定部１３３の判定に基づいてダウンミックス部１２２を設定する音声再生装置１ａの動作を示すフローチャートである。なお、簡略化のため、音声再生装置１と同様の構成については、同一符号を付して説明を省略する。
【００４５】
図４に示すように、音声再生装置１ａは、前述した音声再生装置１のサラウンドデコーダ１３において、変換部１３１のサラウンド設定の有無を判定してその結果をＩ／Ｆ部１３２に出力するサラウンド判定部１３３を有する構成である。なおサラウンド判定部１３３が出力する結果は、変換部１３１のサラウンド設定の有無に応じてダウンミックス部１２２におけるステレオ音声用信号Ｓｏ又はサラウンド音声用信号Ｓｔへのダウンミックスを指定するものである。
【００４６】
図５に示すように、サラウンド判定部１３３は、変換部１３１の状態を取得し（ステップＢ１１）、変換部１３１のサラウンド設定が有効であると判定した場合（ステップＢ１２：Ｙ）、ダウンミックス部１２２における出力をサラウンド音声用信号Ｓｔにするように設定し、変換部１３１のサラウンド設定が無効であると判定した場合（ステップＢ１２：Ｎ）、ダウンミックス部１２２における出力をステレオ音声用信号Ｓｏにするように設定する。サラウンド判定部１３３の出力は、Ｉ／Ｆ部１３２、Ｉ／Ｆ部１４５、Ｉ／Ｆ部１２３を経由してダウンミックス部１２２に伝えられる。ダウンミックス部１２２では、そのサラウンド判定部１３３の出力に応じてステレオ音声用信号Ｓｏ又はサラウンド音声用信号Ｓｔへのダウンミックスを設定する。
【００４７】
以上のように、音声再生装置１ａは、ＤＶＤ再生装置１１などから入力されるマルチチャンネルのデジタル音声データＤｉｎを２チャンネルデコーダ１２でステレオ音声用信号Ｓｏ又はサラウンド音声用信号Ｓｔにダウンミックスしてサラウンドデコーダ１３に入力し、当該サラウンドデコーダ１３で音声再生（ステレオ再生）を行うための音声信号又はサラウンド音声再生を行うための音声信号に変換してスピーカＳＰ１〜ＳＰ４へ出力して音声再生を行う際に、サラウンド判定部１３３で判定されるサラウンド設定の有無に応じて２チャンネルデコーダ１２におけるダウンミックスの設定を切り換える構成である。このため、音声再生装置１は、サラウンドデコーダ１３の設定状態に合わせてダウンミックスの設定を行うことができるため、マルチチャンネルのデジタル音声データを元に複数のスピーカから音声再生を行う際に良好に音声再現することができるとともに、煩わしい設定の手間を省くことができる。
【００４８】
また、音声再生装置１ａは、サラウンド判定部１３３の判定に基づいて、サラウンドデコーダ１３でサラウンド設定が無効の場合、つまり、通常の再生を行う場合は２チャンネルデコーダ１２におけるダウンミックスをステレオ音声用信号Ｓｏに切り換え、サラウンドデコーダ１３においてサラウンド再生が有効の場合は２チャンネルデコーダ１２におけるダウンミックスをサラウンド音声用信号Ｓｔに切り換える構成である。このため、音声再生装置１ａは、サラウンド再生又は通常の再生に好適なダウンミックスを行うことができ、より良好な音声再生を行うことができる。
【００４９】
なお、本実施の形態における記述は、本発明の一例を示すものであり、これに限定するものではない。本実施の形態における音声再生装置１の構成及び動作に関しては、本発明の趣旨を逸脱しない範囲で適宜変更が可能である。
【００５０】
例えば、２チャンネルデコーダ１２に入力するマルチチャンネルのデジタル音声データは、ＤＶＤ再生装置１１から出力されるデジタル音声データＤｉｎとする構成を例示したが、例えば、地上波デジタル放送を受信可能なチューナーから出力されるマルチチャンネルのデジタル音声データなどであってよく、ＤＶＤ等の記憶媒体に格納されたマルチチャンネルのデジタル音声データを読み出して出力するＤＶＤ再生装置１１にソースを限定するものではない。
【図面の簡単な説明】
【００５１】
【図１】本発明の第１の実施の形態である音声再生装置１の機能的構成を模式的に示したブロック図である。。
【図２】（ａ）は、音声再生装置１の動作を示すフローチャートであり、（ｂ）は、サラウンド設定時に表示部１４３に表示される表示画面Ｇ１を例示する図である。
【図３】（ａ）は、第１の実施の形態における音声再生装置１の動作の変形例を示すフローチャートであり、（ｂ）は、ダウンミックス設定時に表示部１４３に表示される表示画面Ｇ２を例示する図である。
【図４】本発明の第２の実施の形態である音声再生装置１ａの機能的構成を模式的に示したブロック図である。
【図５】サラウンド判定部１３３の判定に基づいてダウンミックス部１２２を設定する音声再生装置１ａの動作を示すフローチャートである。
【符号の説明】
【００５２】
１、１ａ  音声再生装置
１１  ＤＶＤ再生装置
１２  ２チャンネルデコーダ（２チャンネル出力手段）
１３  サラウンドデコーダ（変換手段）
１４  制御装置（制御手段）
１２１  復号化部
１２２  ダウンミックス部
１２３  Ｉ／Ｆ部
１３１  変換部
１３２  Ｉ／Ｆ部
１３３  サラウンド判定部（判定手段）
１４１  制御部
１４２  操作部（指示手段）
１４３  表示部
１４４  記憶部
１４５  Ｉ／Ｆ部
ＳＰ１〜ＳＰ４  スピーカ
Ｄｉｎ  デジタル音声データ
Ｄｏｕｔ  デジタル音声データ
Ｄ１〜Ｄ４  デジタル音声信号
Ｓｏ  音声用信号
Ｓｔ  サラウンド音声用信号
Ｓ１〜Ｓ４  音声出力信号
Ｇ１、Ｇ２  表示画面
Ｇ１１、Ｇ１２、Ｇ２１、Ｇ２２  設定ボタン
【図１】
2007208709.tif 000003
【図２】
2007208709.tif 000004
【図３】
2007208709.tif 000005
【図４】
2007208709.tif 000006
【図５】
2007208709.tif 000007